(57)【特許請求の範囲】
【請求項１】
貨幣を収納する貨幣収納部と、
複数の出金要求情報を取得する出金要求情報取得部と、
各出金要求情報に対応する貨幣の払い出しに対応して、個別出金レシートを所定の印字部に印字させる個別印字制御部と、
出金要求情報に対応する１件分の貨幣を前記貨幣収納部から所定の出金口に払い出させた後に、前記個別印字制御部により該出金要求情報に係る事項を印字した個別出金レシートを発行する処理を前記複数の出金要求情報の数だけ繰り返すよう制御する制御部と
を備えたことを特徴とする貨幣処理装置。
【請求項２】
前記複数の出金要求情報に対応する貨幣の払出合計の合計出金レシートを所定の印字部に印字させる合計印字制御部をさらに備えたことを特徴とする請求項１に記載の貨幣処理装置。
【請求項３】
前記出金口からの貨幣の抜き取りを検知する貨幣抜取検知部をさらに備え、
前記制御部は、
前記貨幣抜取検知部により前記出金口からの貨幣の抜き取りが検知されたことを条件として、次の出金要求情報に対応する貨幣を前記貨幣収納部から前記出金口に払い出させるよう制御する
ことを特徴とする請求項１又は２に記載の貨幣処理装置。
【請求項４】
貨幣の払出指示を受け付ける払出指示受付部をさらに備え、
前記制御部は、
前記払出指示受付部により貨幣の払出指示を受け付けたことを条件として、次の出金要求情報に対応する貨幣を前記貨幣収納部から前記出金口に払い出させるよう制御する
ことを特徴とする請求項１又は２に記載の貨幣処理装置。
【請求項５】
前記出金要求情報取得部は、
複数の出金要求情報を含む出金要求データを取得する
ことを特徴とする請求項１〜４のいずれか一つに記載の貨幣処理装置。
【請求項６】
前記出金要求情報取得部により取得された複数の出金要求情報を含む出金要求データを加工処理する加工処理部
をさらに備えたことを特徴とする請求項５に記載の貨幣処理装置。
【請求項７】
操作端末装置と、貨幣を収納する貨幣収納部を有する貨幣処理装置とを通信可能に接続した貨幣処理システムであって、
前記貨幣処理装置は、
前記操作端末装置から複数の出金要求情報を取得する出金要求情報取得部と、
各出金要求情報に対応する貨幣の払い出しに対応して、個別出金レシートを所定の印字部に印字させる個別印字制御部と、
出金要求情報に対応する１件分の貨幣を前記貨幣収納部から所定の出金口に払い出させた後に、前記個別印字制御部により該出金要求情報に係る事項を印字した個別出金レシートを発行する処理を前記複数の出金要求情報の数だけ繰り返すよう制御する制御部と
を備えたことを特徴とする貨幣処理システム。
【請求項８】
貨幣を収納する貨幣収納部を有する貨幣処理装置における貨幣処理方法であって、
複数の出金要求情報を取得する出金要求情報取得工程と、
各出金要求情報に対応する貨幣の払い出しに対応して、個別出金レシートを所定の印字部に印字させる個別印字制御工程と、
出金要求情報に対応する１件分の貨幣を前記貨幣収納部から所定の出金口に払い出させた後に、前記個別印字制御工程により該出金要求情報に係る事項を印字した個別出金レシートを発行する処理を前記複数の出金要求情報の数だけ繰り返すよう制御する制御工程と
を含んだことを特徴とする貨幣処理方法。
【発明の詳細な説明】
【技術分野】
【０００１】
この発明は、貨幣を収納する貨幣収納部を有する貨幣処理装置、貨幣処理システム及び貨幣処理方法に関する。
【背景技術】
【０００２】
従来、銀行などの金融機関の店舗には、貨幣の入金及び出金を行う出納機と呼ばれる貨幣処理装置が配設されている（例えば、特許文献１を参照）。かかる出納機は、バラ紙幣、包装紙幣、バラ硬貨、包装硬貨を装置内部に収納しておき、出金要求に対応する貨幣を出金する。
【０００３】
ここで、金融機関では、事前（顧客への受け渡し期日まで）に、貨幣を複数の封筒に小分けして用意しておく「支払準備処理」と呼ばれる業務を行っている。例えば、１万５千円を入れた５０個の封筒等を事前に作成し、この５０個の封筒等をそれぞれの顧客に受け渡す業務が該当する。
【０００４】
かかる支払準備処理を行う場合に、金融機関では、（１）合計金額分の貨幣を出納機から出金し、出金された貨幣を手作業で袋数分に仕分けて、封筒等に袋詰めする方式１と、（２）一取引（１つの封筒等に入れる貨幣を出金する取引）分の出金情報を出納機に入力し、出納機から出金された貨幣を封筒等に袋詰めする作業を袋数分繰り返す方式２のいずれかを採用している。
【先行技術文献】
【特許文献】
【０００５】
【特許文献１】特開２０１５−０９４９８７号公報
【発明の概要】
【発明が解決しようとする課題】
【０００６】
しかしながら、上記の方式１を用いた場合には、金融機関の担当者による手作業による仕分け作業が必要となるため、その人的労力が過大になるとともに、仕分けに伴うミスが生ずるという問題がある。
【０００７】
また、上記の方式２を用いた場合には、一取引分の出金情報を入力し、出金された貨幣を袋詰めする作業を何度も繰り返すこととなるので、取引数分の入力操作が必要となるため、担当者による操作負担が大きく、ミスが生ずる可能性がある。加えて、担当者による出納機の占有時間が長くなるため、他の担当者がその間出納機を用いることができず、円滑な業務運営を阻害する要因になる。
【０００８】
これらのことから、出納機を用いて支払準備処理を行う場合に担当者の人的負担及びミスを軽減しつつ、いかにして効率良く支払準備処理を実施させるかが重要な課題となっている。かかる課題は、出納機のみならず各種の貨幣処理装置においても同様に生ずる課題である。また、支払準備処理のみならず、連続して複数の出金取引を行う場合に同様に生ずる課題である。
【０００９】
本発明は、上記従来技術の課題を解決するためになされたものであって、連続して複数の出金取引を行う場合に、人的負担及び人為的なミスを軽減しつつ効率的に出金を行うことができる貨幣処理装置、貨幣処理システム及び貨幣処理方法を提供することを目的とする。
【課題を解決するための手段】
【００１０】
上述した課題を解決し、目的を達成するため、本発明は、貨幣を収納する貨幣収納部と、複数の出金要求情報を取得する出金要求情報取得部と、各出金要求情報に対応する貨幣の払い出しに対応して、個別出金レシートを所定の印字部に印字させる個別印字制御部と、出金要求情報に対応する１件分の貨幣を前記貨幣収納部から所定の出金口に払い出させた後に、前記個別印字制御部により該出金要求情報に係る事項を印字した個別出金レシートを発行する処理を前記複数の出金要求情報の数だけ繰り返すよう制御する制御部とを備えたことを特徴とする。
【００１２】
また、本発明は、上記の発明において、前記複数の出金要求情報に対応する貨幣の払出合計の合計出金レシートを所定の印字部に印字させる合計印字制御部をさらに備えたことを特徴とする。
【００１３】
また、本発明は、上記の発明において、前記出金口からの貨幣の抜き取りを検知する貨幣抜取検知部をさらに備え、前記制御部は、前記貨幣抜取検知部により前記出金口からの貨幣の抜き取りが検知されたことを条件として、次の出金要求情報に対応する貨幣を前記貨幣収納部から前記出金口に払い出させるよう制御することを特徴とする。
【００１４】
また、本発明は、上記の発明において、貨幣の払出指示を受け付ける払出指示受付部をさらに備え、前記制御部は、前記払出指示受付部により貨幣の払出指示を受け付けたことを条件として、次の出金要求情報に対応する貨幣を前記貨幣収納部から前記出金口に払い出させるよう制御することを特徴とする。
【００１５】
また、本発明は、上記の発明において、前記出金要求情報取得部は、複数の出金要求情報を含む出金要求データを取得することを特徴とする。
【００１６】
また、本発明は、上記の発明において、前記出金要求情報取得部により取得された複数の出金要求情報を含む出金要求データを加工処理する加工処理部をさらに備えたことを特徴とする。
【００１７】
また、本発明は、操作端末装置と、貨幣を収納する貨幣収納部を有する貨幣処理装置とを通信可能に接続した貨幣処理システムであって、前記貨幣処理装置は、前記操作端末装置から複数の出金要求情報を取得する出金要求情報取得部と、各出金要求情報に対応する貨幣の払い出しに対応して、個別出金レシートを所定の印字部に印字させる個別印字制御部と、出金要求情報に対応する１件分の貨幣を前記貨幣収納部から所定の出金口に払い出させた後に、前記個別印字制御部により該出金要求情報に係る事項を印字した個別出金レシートを発行する処理を前記複数の出金要求情報の数だけ繰り返すよう制御する制御部とを備えたことを特徴とする。
【００１８】
また、本発明は、貨幣を収納する貨幣収納部を有する貨幣処理装置における貨幣処理方法であって、複数の出金要求情報を取得する出金要求情報取得工程と、各出金要求情報に対応する貨幣の払い出しに対応して、個別出金レシートを所定の印字部に印字させる個別印字制御工程と、出金要求情報に対応する１件分の貨幣を前記貨幣収納部から所定の出金口に払い出させた後に、前記個別印字制御工程により該出金要求情報に係る事項を印字した個別出金レシートを発行する処理を前記複数の出金要求情報の数だけ繰り返すよう制御する制御工程とを含んだことを特徴とする。
【発明の効果】
【００１９】
本発明によれば、連続して複数の出金取引を行う場合に、人的負担及び人為的なミスを軽減しつつ効率的に出金を行うことができる。
【図面の簡単な説明】
【００２０】
【図１】図１は、実施例１に係る貨幣入出金機の概念を説明するための説明図である。
【図２】図２は、図１に示した貨幣入出金機の外観を示す斜視図である。
【図３】図３は、図２に示した貨幣入出金機における紙幣入出金装置の内部構成を示す構成図である。
【図４】図４は、図２に示した貨幣入出金機における硬貨入出金装置を正面側から見たときの内部構成を示す構成図である
【図５】図５は、図２に示した貨幣入出金機における硬貨入出金装置を左側方から見たときの内部構成を示す構成図である。
【図６】図６は、図２に示した貨幣入出金機における硬貨入出金装置を右側方から見たときの内部構成を示す構成図である。
【図７】図７は、硬貨入出金装置における入金繰出部及び入金搬送部を上方から見たときの構成を示す構成図である。
【図８】図８は、硬貨入出金装置における各構成部材間での硬貨の流れを示す説明図である。
【図９】図９は、図２に示した貨幣入出金機の機能ブロック図である。
【図１０】図１０は、出金要求情報の一例を示す図である。
【図１１】図１１は、図２に示した貨幣入出金機における支払準備処理の処理手順を示すフローチャートである。
【図１２】図１２は、支払準備処理に係る表示画面の具体例についての説明図である。（その１）
【図１３】図１３は、支払準備処理に係る表示画面の具体例についての説明図である。（その２）
【図１４】図１４は、貨幣入出金機が印字するレシートの一例を示す図である。
【図１５】図１５は、実施例２に係る貨幣入出金機の外観を示す斜視図である。
【図１６】図１６は、図１５に示した貨幣入出金機の内部構成を示す構成図である。
【図１７】図１７は、図１５に示した貨幣入出金機の機能ブロック図である。
【発明を実施するための形態】
【００２１】
以下に、添付図面を参照して、本発明に係る貨幣処理装置、貨幣処理システム及び貨幣処理方法の実施例を説明する。なお、実施例１では、金融機関のバックヤードなどで出納機として用いられる貨幣入出金機に本発明を適用する場合を示し、実施例２では、金融機関の窓口で担当者が使用する貨幣入出金機に本発明を適用する場合を示す。
【実施例１】
【００２２】
＜貨幣入出金機の概念＞
まず、本実施例１に係る貨幣入出金機の概念について説明する。図１は、実施例１に係る貨幣入出金機の概念を説明するための説明図である。同図に示す貨幣入出金機１は、銀行などの金融機関の店舗に配設され、貨幣の入金及び出金を行う出納機である。貨幣入出金機１は、バラ紙幣、包装紙幣、バラ硬貨、包装硬貨を装置内部に収納し、出金要求に対応する貨幣を出金する。
【００２３】
貨幣を複数の封筒に小分けして用意する支払準備処理を行う場合には、まず、操作者（銀行員）がＩＤ認証を行ってログインすることによって、貨幣入出金機１が利用可能となり、支払準備処理の実行を選択する。次に、図１（１）に示すように、貨幣入出金機１は、出金要求情報（複数件分）の取得を行う。図１（１）では、１５０００円を入れた５０個の封筒等を準備する場合を示しており、貨幣入出金機１は、「１５０００円×５０件」を出金要求情報として取得している。出金要求情報は、任意の方法で取得することができる。例えば、操作者が出金要求情報を貨幣入出金機１に直接入力してもよいし、貨幣入出金機１が他の装置から通信により出金要求情報を受信してもよい。また、ＵＳＢ（Universal Serial Bus）メモリなどの記憶媒体に格納された出金要求情報を読み出すことで取得してもよい。
【００２４】
貨幣入出金機１は、出金要求情報を取得すると、まず、そのうちの１件分の貨幣を出金処理する（２）。その後、操作者による払出指示を受け付けた場合に（３）、次の１件分の貨幣を出金処理する。貨幣入出金機１は、１件分の出金処理（２）と払出指示の受付（３）とを繰り返し、全件分の出金処理を終えた場合に処理を終了する。
【００２５】
このように、貨幣入出金機１は、複数の出金要求情報を一括して取得した（１）後、１件分の出金処理（２）と払出指示の受付（３）とを繰り返すことで、断続的に貨幣の払出を行う。このため、連続して複数の出金取引を行う場合に、人的負担及び人為的なミスを軽減しつつ効率的に出金を行うことができる。
【００２６】
＜貨幣入出金機の外観構成＞
次に、本実施例１に係る貨幣入出金機１の外観構成について説明する。図２は、図１に示した貨幣入出金機の外観を示す斜視図である。図２に示すように、実施例１に係る貨幣入出金機１は、紙幣入出金装置１０及び硬貨入出金装置１１０が左右に並ぶよう配置されることにより構成されている。紙幣入出金装置１０は、バラ紙幣の入金処理や出金処理を行うことができるとともに、機体内で所定枚数（例えば、１００枚）のバラ紙幣を結束して帯封紙幣を作成、作成した帯封紙幣の出金処理とを行うことができる。硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成し、作成した包装硬貨の出金処理を行うことができる。
【００２７】
＜紙幣入出金装置の構成＞
次に、貨幣入出金機１における紙幣入出金装置１０の構成について図２及び図３を用いて説明する。図３は、図２に示した貨幣入出金機における紙幣入出金装置の内部構成を示す構成図である。図２及び図３に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図３における筐体１２の左側の側面が紙幣入出金装置１０の前面側（すなわち、図２に示すように紙幣入出金装置１０を手前側から見たときの正面側）となっており、図３における右方向が筐体１２の奥行き方向となっている。
【００２８】
図２に示すように、投入部１４の前面は筐体１２の外部に開口しており、操作者はこの開口を介して投入部１４の内部にアクセスする（具体的には、投入部１４の内部に手を入れる）ことができる。このことにより、操作者は投入部１４の内部にバラ紙幣の束を投入することができる。
【００２９】
一方、バラ紙幣投出部２４及び帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉する。シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことが可能となり、当該操作者はバラ紙幣投出部２４や帯封紙幣投出部４８に集積されているバラ紙幣や帯封紙幣を筐体１２の内部から外部に取り出すことができる。これらのシャッター２４ａ、４８ａはシャッター駆動部２４ｂ、４８ｂ（図９参照）によりそれぞれ駆動される。
【００３０】
なお、実施例１に係る紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能する。
【００３１】
また、図３に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができない。
【００３２】
図３に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送される。また、搬送部１８には識別部２０が設けられており、搬送部１８により搬送されるバラ紙幣は識別部２０によりその金種、真偽、表裏、正損、新旧、搬送状態等が識別される。また、搬送部１８には表裏反転部２２が設けられている。表裏反転部２２は、識別部２０により識別されたバラ紙幣の表裏が揃うように反転させる。
【００３３】
また、図３に示すように、搬送部１８には入金一時保留部３０、混合バラ紙幣収納部３２及び複数（図３に示す例では３つ）の金種別バラ紙幣収納部３４がそれぞれ接続されており、搬送部１８は、これらの入金一時保留部３０、混合バラ紙幣収納部３２及び各金種別バラ紙幣収納部３４にバラ紙幣を搬送する。ここで、入金一時保留部３０、混合バラ紙幣収納部３２及び各金種別バラ紙幣収納部３４にはそれぞれ図３における上下方向に移動可能となっているステージ３０ａ、３２ａ、３４ａが設けられており、バラ紙幣は、これらのステージ３０ａ、３２ａ、３４ａ上に積層状態で集積される。
【００３４】
また、入金一時保留部３０の上端部の近傍には紙幣繰出繰入部３０ｂが設けられており、当該入金一時保留部３０に一時的に保留されているバラ紙幣は紙幣繰出繰入部３０ｂにより１枚ずつ搬送部１８に繰り出される。また、紙幣繰出繰入部３０ｂにより搬送部１８から入金一時保留部３０にバラ紙幣が１枚ずつ繰り入れられる。入金一時保留部３０には、バラ紙幣の入金処理において識別部２０により識別されたバラ紙幣が混合バラ紙幣収納部３２や各金種別バラ紙幣収納部３４に収納される前に一時的に保留される。
【００３５】
また、混合バラ紙幣収納部３２及び各金種別バラ紙幣収納部３４の上端部の近傍にはそれぞれ紙幣繰出繰入部３２ｂ、３４ｂが設けられており、混合バラ紙幣収納部３２や各金種別バラ紙幣収納部３４に収納されているバラ紙幣は紙幣繰出繰入部３２ｂ、３４ｂにより１枚ずつ搬送部１８に繰り出される。また、紙幣繰出繰入部３２ｂ、３４ｂにより搬送部１８から混合バラ紙幣収納部３２や各金種別バラ紙幣収納部３４にバラ紙幣が１枚ずつ繰り入れられる。各金種別バラ紙幣収納部３４には、それぞれ予め設定された特定の金種のバラ紙幣（例えば、千円紙幣、五千円紙幣及び一万円紙幣からなる３つの金種のバラ紙幣）が金種毎に収納される。一方、混合バラ紙幣収納部３２には、各金種別バラ紙幣収納部３４に割り当てられていない金種のバラ紙幣（例えば、二千円紙幣）や損券、ならびに後述するオーバーフロー紙幣等が混合状態で収納される。
【００３６】
図２及び図３に示すように、筐体１２の下部には下部扉１２ａが設けられており、この下部扉１２ａを開くことにより操作者は入金一時保留部３０の内部へのアクセスが可能となる。また、入金一時保留部３０、混合バラ紙幣収納部３２及び各金種別バラ紙幣収納部３４は、筐体１２の内部から手前側に（すなわち、図３における左方向に）引き出し可能となっている引出ユニット１３に収容されている。そして、操作者が下部扉１２ａを開いて引出ユニット１３を筐体１２の内部から手前側に引き出すことにより、当該操作者は混合バラ紙幣収納部３２や各金種別バラ紙幣収納部３４の引出ユニット１３からの取り外しと装着が可能となる。また、本実施例に係る紙幣入出金装置１０では、引出ユニット１３を筐体１２の内部にロックするためのロック機構５０（図９参照）が引出ユニット１３に設けられている。
【００３７】
また、図３に示すように、搬送部１８には複数（図３に示す例では２つ）の整理一時保留部４０が接続されており、当該搬送部１８から各整理一時保留部４０にバラ紙幣が送られるとこれらの整理一時保留部４０にバラ紙幣が積層状態で集積される。また、本実施例１に係る紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００３８】
また、図３に示すように、筐体１２の内部において帯封部４２の近傍にはアーム機構４４が設けられており、当該アーム機構４４は各整理一時保留部４０、帯封部４２及び後述する帯封紙幣揚送部４６の間で移動可能である。アーム機構４４は、各整理一時保留部４０に集積された所定枚数のバラ紙幣からなる紙幣束を帯封部４２に搬送する。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれる。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡す。このような動作を繰り返すことにより、複数の帯封紙幣を帯封紙幣揚送部４６のステージ４６ａ上に集積させることができる。
【００３９】
帯封紙幣揚送部４６には、図３における上下方向に移動可能なステージ４６ａが設けられており、帯封部４２により作成された帯封紙幣がアーム機構４４からステージ４６ａ上に受け渡されると、当該ステージ４６ａ上に帯封紙幣が集積される。そして、アーム機構４４からステージ４６ａ上に１又は複数の帯封紙幣が受け渡された後、ステージ４６ａが図３における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができる。また、（シャッター４８ａが閉じられたまま）ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させることができる。
【００４０】
図３に示すように、筐体１２の内部における上部領域には、複数（図３に示す例では４つ）の帯封紙幣収納部７０が設けられており、これらの帯封紙幣収納部７０には、帯封部４２により作成された帯封紙幣が積層状態で収納される。具体的には、各帯封紙幣収納部７０には、それぞれ予め設定された特定の金種の帯封紙幣が収納される。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるように構成してもよい。
【００４１】
各帯封紙幣収納部７０の内部にはそれぞれ図３における上下方向に移動可能なステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積される。また、各帯封紙幣収納部７０から帯封紙幣を出す場合には、ステージ７０ａが上昇することにより各帯封紙幣収納部７０の上端部（天井部分）に設けられた開口から帯封紙幣が上方に出される。
【００４２】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図３における時計回りの方向及び反時計回りの方向の両方向に循環移動することができる。そして、帯封紙幣搬送部６０により帯封紙幣が搬送される際に、当該帯封紙幣は循環ベルト６０ｂの下面に沿って突起６０ａにより引っ掛けられた状態で図３における左右いずれかの方向に移動する。また、図３に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別される。
【００４３】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達する。また、循環ベルト６０ｂは図３における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図３における右方向に搬送され、判別部６２によりその金種が判別された後、当該判別部６２による判別結果に基づいて対応する各帯封紙幣収納部７０に収納される。一方、各帯封紙幣収納部７０に収納されている帯封紙幣を帯封紙幣投出部４８により筐体１２の外部に出金する際には、循環ベルト６０ｂは図３における時計回りの方向に循環移動し、各帯封紙幣収納部７０から上方に押し出された最上位の帯封紙幣が突起６０ａにより引っ掛けられて循環ベルト６０ｂの下面に沿って図３における左方向に搬送される。また、ステージ４６ａが上昇して帯封紙幣搬送部６０の近傍の位置まで到達する。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが帯封紙幣投出部４８と同じ高さレベルまで下降し、シャッター４８ａが開く。
【００４４】
＜硬貨入出金装置の構成＞
次に、貨幣入出金機１における硬貨入出金装置１１０の構成について図２及び図４〜図８を用いて説明する。図４は、図２に示した貨幣入出金機における硬貨入出金装置を正面側から見たときの内部構成を示す構成図である。図５は、図２に示した貨幣入出金機における硬貨入出金装置を左側方から見たときの内部構成を示す構成図である。図６は、図２に示した貨幣入出金機における硬貨入出金装置を右側方から見たときの内部構成を示す構成図である。図７は、硬貨入出金装置における入金繰出部及び入金搬送部を上方から見たときの構成を示す構成図である。また、図８は、硬貨入出金装置における各構成部材間での硬貨の流れを示す説明図である。
【００４５】
図２及び図４〜図８に示すように、硬貨入出金装置１１０は、略直方体形状の筐体１１２と、筐体１１２の上面に設けられた硬貨投入口１２１に投入されたバラ硬貨を筐体１１２の内部に繰り出す入金繰出部１２０と、入金繰出部１２０により繰り出されたバラ硬貨を搬送する入金搬送部１２８と、入金搬送部１２８により搬送されるバラ硬貨を識別する入金識別部１２９とを備えている。また、図７に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０、入金識別部１２９により特定の任意の金種の硬貨であると識別されたバラ硬貨を選別する任意選別部１３４、及び入金識別部１２９により各々の金種の硬貨であると識別されたバラ硬貨を選別する複数の金種別選別部１３６がそれぞれ設けられている。また、筐体１１２の内部には、任意選別部１３４や各金種別選別部１３６により選別されたバラ硬貨を金種毎に一時的に保留する入金一時保留部１４０、及び入金一時保留部１４０から送られたバラ硬貨を金種毎に収納するとともに収納されているバラ硬貨を繰り出すことができる複数の収納繰出部１５２がそれぞれ設けられている。また、筐体１１２の内部には、任意選別部１３４により選別されたバラ硬貨を紙やフィルム等の包装媒体により包装することによって包装硬貨を作成する包装部１６０、包装部１６０により作成された包装媒体を収納する包装硬貨収納ユニット２００及び包装部１６０により作成された包装媒体を筐体１１２の内部で搬送する包装硬貨搬送ユニット２１０がそれぞれ設けられている。このような硬貨入出金装置１１０の各構成部材の詳細について以下に説明する。
【００４６】
図４、図５及び図７に示すように、入金繰出部１２０は、筐体１１２の上面に設けられた硬貨投入口１２１に投入されたバラ硬貨を受け入れる供給円盤１２２と、この供給円盤１２２からバラ硬貨が適量ずつ供給される回転円盤１２４と、回転円盤１２４からバラ硬貨を１枚ずつ入金搬送部１２８に繰り出す繰出機構１２６とを有している。
【００４７】
図７に示すように、入金搬送部１２８は、入金繰出部１２０から繰り出されたバラ硬貨を搬送路に沿って搬送する搬送ベルトを有している。ここで、搬送ベルトとしては例えば入金搬送部１２８の搬送路に沿って移動する丸ベルトが用いられ、入金繰出部１２０から繰り出されたバラ硬貨は当該丸ベルトとの間で働く摩擦力により搬送路に沿って搬送される。また、入金搬送部１２８には、当該入金搬送部１２８により搬送されるバラ硬貨の金種、真偽、正損、新旧、表裏、搬送状態等の識別を行う入金識別部１２９が設けられている。入金識別部１２９によるバラ硬貨の識別情報は後述する制御部３００に送られる。
【００４８】
また、図７に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０が設けられている。また、図５に示すように、筐体１１２の内部には、リジェクト選別部１３０により選別されたリジェクト硬貨としてのバラ硬貨が集積される入金リジェクト部１３８、及びリジェクト選別部１３０から入金リジェクト部１３８にリジェクト硬貨としてのバラ硬貨を送る入金リジェクト用シュート１３１がそれぞれ設けられている。ここで、図２に示すように、操作者は筐体１１２の前面から入金リジェクト部１３８の内部にアクセス可能であり、入金リジェクト部１３８に送られたリジェクト硬貨としてのバラ硬貨を操作者は筐体１１２の前面から取り出すことができる。
【００４９】
また、図７に示すように、入金搬送部１２８において、硬貨の搬送方向におけるリジェクト選別部１３０の下流側には、入金識別部１２９により特定の任意の金種の硬貨であると識別されたバラ硬貨を選別する任意選別部１３４が設けられている。ここで、任意選別部１３４により選別される特定の任意の金種の硬貨とは、例えばバラ硬貨の包装処理において包装部１６０によって包装媒体により包装されることにより包装硬貨とされるべきバラ硬貨や、特定の金種の硬貨の計数処理において袋装着部に装着される貯留袋１７５（図５において二点鎖線で表示）に送られるべきバラ硬貨のことをいう。
【００５０】
また、図７に示すように、入金搬送部１２８において、硬貨の搬送方向における任意選別部１３４の更に下流側には、入金識別部１２９により各々の金種の硬貨であると識別されたバラ硬貨を選別する複数の金種別選別部１３６が設けられている。具体的には、複数の金種別選別部１３６として、硬貨の搬送方向における上流側から順に、５円硬貨を選別する５円硬貨選別部１３６ａ、１円硬貨を選別する１円硬貨選別部１３６ｂ、５０円硬貨を選別する５０円硬貨選別部１３６ｃ、１００円硬貨を選別する１００円硬貨選別部１３６ｄ、１０円硬貨を選別する１０円硬貨選別部１３６ｅ及び５００円硬貨を選別する５００円硬貨選別部１３６ｆが設けられている。ここで、リジェクト選別部１３０、任意選別部１３４及び５円硬貨選別部１３６ａは、ソレノイド等の電気的駆動機構によって強制的にバラ硬貨を分岐孔に落とし込ませる構成となっている。一方、１円硬貨選別部１３６ｂ、５０円硬貨選別部１３６ｃ、１００円硬貨選別部１３６ｄ及び１０円硬貨選別部１３６ｅは、小径硬貨から大径硬貨の順にバラ硬貨を径の大きさで選別して該当する分岐孔に落とし込ませる構成となっている。また、５００円硬貨選別部１３６ｆは、５円硬貨選別部１３６ａ、１円硬貨選別部１３６ｂ、５０円硬貨選別部１３６ｃ、１００円硬貨選別部１３６ｄ及び１０円硬貨選別部１３６ｅの各分岐孔に落とし込まれなかったバラ硬貨を５００円硬貨として当該５００円硬貨選別部１３６ｆに対応する分岐孔に落とし込ませる構成となっている。
【００５１】
また、図４及び図５に示すように、筐体１１２の内部において入金搬送部１２８の下方には入金一時保留部１４０が設けられている。入金一時保留部１４０は、任意選別部１３４により選別されたバラ硬貨が一時的に保留される任意一時保留部１４２と、各金種別選別部１３６により選別されたバラ硬貨が金種別に一時的に保留される金種別一時保留部１４４とを有している。ここで、任意一時保留部１４２は、その上部及び底部が開口した枠体から構成されている。また、金種別一時保留部１４４は、５円、１円、５０円、１００円、１０円、５００円の各金種に対応する保留領域１４４ａ、１４４ｂ、１４４ｃ、１４４ｄ、１４４ｅ、１４４ｆに区画された、その上部及び底部が開口した枠体から構成されている。また、任意一時保留部１４２及び金種別一時保留部１４４は互いに連結されており、これらの任意一時保留部１４２及び金種別一時保留部１４４は一体的に水平方向に移動する。また、任意一時保留部１４２や金種別一時保留部１４４の下方には板状の底部材１４６が設けられており、これらの任意一時保留部１４２や金種別一時保留部１４４の枠体の底部に設けられた開口が底部材１４６により選択的に閉止可能である。また、図４及び図５に示すように、入金一時保留部１４０は、任意一時保留部１４２及び金種別一時保留部１４４を水平方向（具体的には、図４における左右方向）に移動させる第１駆動機構１４５と、底部材１４６を水平方向（具体的には、図４における左右方向）に移動させる第２駆動機構１４７とを有している。
【００５２】
また、図４及び図５に示すように、筐体１１２の内部において入金一時保留部１４０の更に下方には、入金一時保留部１４０から送られたバラ硬貨を筐体１１２の外部に排出するための排出部１５０、入金一時保留部１４０から送られたバラ硬貨を金種毎に収納するとともに収納されているバラ硬貨を繰り出すことができる複数の収納繰出部１５２、入金一時保留部１４０の任意一時保留部１４２から送られたバラ硬貨を包装部１６０や後述する袋装着部に装着された貯留袋１７５に送るシュート機構１７０、及び入金一時保留部１４０の任意一時保留部１４２から送られたバラ硬貨が収納されるバラ硬貨一括収納箱１９８（図２参照、図４や図５では図示せず）がそれぞれ設けられている。
【００５３】
入金一時保留部１４０における金種別一時保留部１４４は、各金種別選別部１３６の分岐孔の真下かつ排出部１５０の真上の位置である第１位置と、各収納繰出部１５２の真上の位置である第２位置との間で図４における左右方向に移動可能である。また、底部材１４６は、第１位置にある金種別一時保留部１４４の底部の開口を塞ぐ第１位置と、第１位置にある金種別一時保留部１４４の底部の開口を開く第２位置との間で図４における左右方向に移動可能である。また、実施例１に係る硬貨入出金装置１１０が待機状態にあるときには金種別一時保留部１４４は第１位置に位置するとともに底部材１４６も第１位置に位置する。ここで、金種別一時保留部１４４が第１位置に位置するとともに底部材１４６が第１位置に位置しているときには、各金種別選別部１３６の分岐孔に落とし込まれたバラ硬貨は金種別一時保留部１４４の各保留領域１４４ａ〜１４４ｆに金種毎に一時的に保留される。そして、金種別一時保留部１４４の各保留領域１４４ａ〜１４４ｆにバラ硬貨が一時的に保留されている状態から第１駆動機構１４５により金種別一時保留部１４４が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆ（後述）に金種毎に送られ、各収納繰出部１５２の収納領域１５２ａ〜１５２ｆに金種毎に収納される。一方、金種別一時保留部１４４の各保留領域１４４ａ〜１４４ｆにバラ硬貨が一時的に保留されている状態から第２駆動機構１４７により底部材１４６が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して排出部１５０に送られ、この排出部１５０に金種混合状態で集積される。
【００５４】
また、入金一時保留部１４０における任意一時保留部１４２は、第１駆動機構１４５による当該任意一時保留部１４２の移動方向（具体的には、図４における左右方向）に沿って並ぶ第１保留領域及び第２保留領域に区画されたものから構成されている。そして、金種別一時保留部１４４が第１位置に位置しているときには任意一時保留部１４２の第１保留領域が任意選別部１３４の分岐孔の真下に位置するとともに排出部１５０の真上に位置する。なお、このときに底部材１４６が第１位置に位置しているときには任意一時保留部１４２の第１保留領域の底部の開口が当該底部材１４６により塞がれ、任意選別部１３４の分岐孔に落とし込まれたバラ硬貨は任意一時保留部１４２の第１保留領域に一時的に保留される。また、金種別一時保留部１４４が第２位置に位置しているときには任意一時保留部１４２の第１保留領域がバラ硬貨一括収納箱１９８の真上に位置する。そして、任意一時保留部１４２の第１保留領域にバラ硬貨が一時的に保留されている状態から第１駆動機構１４５により金種別一時保留部１４４が第１位置から第２位置に移動させられると、任意一時保留部１４２の第１保留領域の底部に設けられた開口が開くことによりこの第１保留領域からバラ硬貨が自重により落下してバラ硬貨一括収納箱１９８に送られ、このバラ硬貨一括収納箱１９８に収納される。一方、任意一時保留部１４２の第１保留領域にバラ硬貨が一時的に保留されている状態から第２駆動機構１４７により底部材１４６が第１位置から第２位置に移動させられると、任意一時保留部１４２の第１保留領域の底部に設けられた開口が開くことによりこの第１保留領域からバラ硬貨が自重により落下して排出部１５０に送られ、当該排出部１５０に集積される。また、第１駆動機構１４５によって、入金一時保留部１４０における任意一時保留部１４２を、その第２保留領域が任意選別部１３４の分岐孔の真下に位置する第３位置に移動させることができる。ここで、任意一時保留部１４２が第３位置に位置しているときには、任意選別部１３４の分岐孔に落とし込まれたバラ硬貨は任意一時保留部１４２の第２保留領域に送られた後、この第２保留領域を通過してシュート機構１７０の上部シュート１７２（後述）に送られる。
【００５５】
図５等に示すように、複数の収納繰出部１５２の各々は、それぞれ、５円、１円、５０円、１００円、１０円、５００円の各金種に対応する収納領域１５２ａ、１５２ｂ、１５２ｃ、１５２ｄ、１５２ｅ、１５２ｆを有しており、これらの収納領域１５２ａ〜１５２ｆにバラ硬貨が金種別に収納される。より詳細には、各収納繰出部１５２の収納領域１５２ａ〜１５２ｆには、入金一時保留部１４０の金種別一時保留部１４４の各保留領域１４４ａ〜１４４ｆからバラ硬貨がそれぞれ送られる。また、各収納繰出部１５２において収納領域１５２ａ〜１５２ｆの底部には回転円盤等の硬貨繰出部１５２ｐがそれぞれ設けられており、各硬貨繰出部１５２ｐにより各収納繰出部１５２の収納領域１５２ａ〜１５２ｆからバラ硬貨が１枚ずつ繰り出される。また、各収納繰出部１５２の下方には水平方向に延びるコンベア１５４が設けられており、各硬貨繰出部１５２ｐにより各収納繰出部１５２の収納領域１５２ａ〜１５２ｆから繰り出されたバラ硬貨はコンベア１５４により搬送される。ここで、コンベア１５４には、当該コンベア１５４により搬送されるバラ硬貨の金種、真偽、正損、新旧、表裏、搬送状態等の識別を行う出金識別部１５５が設けられている。出金識別部１５５によるバラ硬貨の識別情報は後述する制御部３００に送られる。また、出金識別部１５５により識別されたバラ硬貨はコンベア１５４により出金用シュート１５８を介して出金箱１９０に送られるか、あるいは包装用シュート１５７を介して包装部１６０に送られる。
【００５６】
排出部１５０は、筐体１１２の前面から操作者が手前側に引き出し可能な返却箱１５０ａを有しており、入金一時保留部１４０における任意一時保留部１４２の第１保留領域や金種別一時保留部１４４の各保留領域１４４ａ〜１４４ｆから送られたバラ硬貨が金種混合状態で返却箱１５０ａに集積される。
【００５７】
バラ硬貨一括収納箱１９８は、筐体１１２の前面から操作者が手前側に引き出し可能であり、入金一時保留部１４０における任意一時保留部１４２の第１保留領域から送られたバラ硬貨が集積される。
【００５８】
図５に示すように、シュート機構１７０は、入金一時保留部１４０における任意一時保留部１４２の第２保留領域から送られたバラ硬貨が通過する上部シュート１７２と、この上部シュート１７２から分岐した貯留用シュート１７４及び包装用シュート１７６とを有する。上部シュート１７２から貯留用シュート１７４や包装用シュート１７６への分岐箇所には分岐部材１７８が設けられている。上部シュート１７２から分岐部材１７８により包装用シュート１７６に分岐させられたバラ硬貨は包装部１６０に送られる。一方、図５に示すように、貯留用シュート１７４の下流側端部に位置する排出側開口１７４ａは筐体１１２の前面に開口する。この排出側開口１７４ａの近傍には、図５において二点鎖線で示すような貯留袋１７５を筐体１１２の前面に装着させる袋装着部（図示せず）が設けられている。そして、袋装着部に貯留袋１７５が装着されているときには、上部シュート１７２から分岐部材１７８により貯留用シュート１７４に分岐させられたバラ硬貨は排出側開口１７４ａから貯留袋１７５に送られてこの貯留袋１７５に貯留される。
【００５９】
出金箱１９０は、筐体１１２の前面から操作者が手前側に引き出し可能であり、本実施例１に係る硬貨入出金装置１１０においてバラ硬貨の出金処理が行われる際に、各収納繰出部１５２の収納領域１５２ａ〜１５２ｆから繰り出されたバラ硬貨がコンベア１５４により出金用シュート１５８を介して出金箱１９０に送られる。また、出金箱１９０には、操作者が当該出金箱１９０を筐体１１２の前面から手前側に引き出す際に把持される取っ手１９０ａが設けられ、取っ手１９０ａを操作者が把持することにより出金箱１９０を筐体１１２から容易に引き出すことができる。また、出金箱１９０には図示しないロック機構が設けられており、このロック機構により出金箱１９０は筐体１１２の内部にロックされる。一方、ロック機構によるロックが解除されると、操作者は出金箱１９０を筐体１１２の前面から手前側に引き出すことができる。そして、出金箱１９０の着脱状態を検知する着脱検知センサや、出金箱１９０内の硬貨の有無を検知する有無検知センサが設けられる。また、図４に示すように、出金箱１９０の底部には開口が設けられているとともに、この開口はシャッタ部材１９２により選択的に閉じられる。また、筐体１１２の下部には、出金リジェクト箱１５６と、出金箱１９０の底部に設けられた開口から出金リジェクト箱１５６にバラ硬貨を送る出金リジェクト用シュート１９４がそれぞれ設けられている。そして、本実施例１に係る硬貨入出金装置１１０においてバラ硬貨の出金処理が行われる際に、出金されるべきバラ硬貨の金種とは異なる金種のバラ硬貨が収納繰出部１５２の各収納領域１５２ａ〜１５２ｆから繰り出されて出金箱１９０に送られたり、収納繰出部１５２の各収納領域１５２ａ〜１５２ｆからのバラ硬貨の繰り出しエラーによって各収納領域１５２ａ〜１５２ｆから繰り出されたバラ硬貨の枚数が不確定となってしまったりした場合には、出金箱１９０の底部に設けられた開口がシャッタ部材１９２により開かれ、出金箱１９０に送られたバラ硬貨はこの出金箱１９０から出金リジェクト用シュート１９４を介して出金リジェクト箱１５６に送られる。
【００６０】
包装部１６０は、シュート機構１７０の包装用シュート１７６や包装用シュート１５７により当該包装部１６０に送られたバラ硬貨が集積されるとともに集積されたバラ硬貨を１枚ずつ繰り出す集積部としての回転円盤１６２と、回転円盤１６２により繰り出されたバラ硬貨を搬送するコンベア１６３と、コンベア１６３により搬送されたバラ硬貨が積層状態で集積されるとともに集積された所定の枚数（例えば、５０枚）のバラ硬貨を紙やフィルム等の包装媒体により包装する包装機構１６８とを有している。ここで、包装機構１６８は上方から見て仮想の正三角形の各頂点に位置する３本の包装ローラ１６８ａを有しており、各包装ローラ１６８ａの間の包装領域において所定枚数重積した重積硬貨が包装媒体により包装されることにより包装硬貨が作成される。図６に示すように、包装機構１６８により作成された包装硬貨はこの包装機構１６８から下方に排出される。また、包装機構１６８の下方には包装硬貨用シュート１６５及び横搬送部１６７が設けられており、包装機構１６８により作成された包装硬貨が当該包装機構１６８から下方に排出されると、この排出された包装硬貨は包装硬貨用シュート１６５を通って横搬送部１６７に送られ、この横搬送部１６７により包装硬貨搬送ユニット２１０に向かって搬送される。また、横搬送部１６７と包装硬貨搬送ユニット２１０との間には、横搬送部１６７から包装硬貨搬送ユニット２１０への包装硬貨の放出と放出規制とを切り換える切換部材１６９が設けられている。
【００６１】
また、図４等に示すように、包装部１６０においてコンベア１６３の下方には排出シュート１６４が設けられており、包装機構１６８により所定の枚数（例えば、５０枚）のバラ硬貨を包装する際に所定の枚数に満たない端数分のバラ硬貨はコンベア１６３から排出シュート１６４に送られてこの排出シュート１６４により出金リジェクト箱１５６に送られる。また、出金リジェクト箱１５６の近傍には、端数分のバラ硬貨を収納する端数硬貨収納箱１９７が設けられているとともに、この出金リジェクト箱１５６には、排出シュート１６４から送られた端数分のバラ硬貨を出金リジェクト箱１５６及び端数硬貨収納箱１９７の何れかに分岐させる分岐部材１９６が設けられている。このような分岐部材１９６が設けられていることにより、コンベア１６３から排出シュート１６４に送られた端数分のバラ硬貨を出金リジェクト箱１５６及び端数硬貨収納箱１９７のうち何れかに収納させることができる。
【００６２】
図６に示すように、包装硬貨搬送ユニット２１０は、筐体１１２の内部における上部及び下部にそれぞれ設けられた２つのプーリ２１２と、これらの２つのプーリ２１２に掛け渡された無端状の循環ベルト２１４と、２つのプーリ２１２のうち一方のプーリ２１２を回転駆動させることにより循環ベルト２１４を図６における時計回りの方向及び反時計回りの方向に循環移動させる駆動モータ（図示せず）とを有している。また、図６に示すように、循環ベルト２１４には、包装硬貨搬送ユニット２１０により搬送されるべき包装硬貨が引っ掛けられる突起２１６が等間隔で複数設けられている。ここで、各突起２１６は、当該突起２１６と包装硬貨とが接する面が循環ベルト２１４の延びる方向（すなわち、図６における上下方向）に対して所定の角度（例えば、６０°）をなして傾斜する方向に当該循環ベルト２１４から突出して形成されている。このように各突起２１６が循環ベルト２１４の延びる方向に対して傾斜していることにより、突起２１６に引っ掛けられた包装硬貨はその自重により突起２１６上で循環ベルト２１４側に寄せられる。そして、循環ベルト２１４が図６における反時計回りの方向に循環移動すると、包装硬貨は突起２１６に引っ掛けられた状態で（すなわち、突起２１６上で循環ベルト２１４側に寄せられた状態で）循環ベルト２１４の移動に合わせて図６における反時計回りの方向に沿って搬送される。また、循環ベルト２１４は、所定量だけ移動すると所定時間だけ停止し、その後再び所定量だけ移動するような動作が繰り返し行われる間欠移動を行うよう、駆動モータにより駆動される。
【００６３】
また、図６に示すように、筐体１１２の内部において包装硬貨搬送ユニット２１０の近傍には、包装硬貨の収納を行う包装硬貨収納ユニット２００が設けられている。ここで、包装硬貨収納ユニット２００は、同一金種の複数の包装硬貨を一列に収納する複数（図６に示す例では６つ）の収納トレイ２４０を有しており、各収納トレイ２４０には包装硬貨が金種別に収納される。各収納トレイ２４０は水平方向に対して傾斜しており、収納トレイ２４０に収納されている包装硬貨は、包装硬貨搬送ユニット２１０に近い側である収納トレイ２４０の最前部に向かって転がる。また、各収納トレイ２４０は鉛直方向に沿って並ぶよう配置されている。また、各収納トレイ２４０に収納される包装硬貨の金種は収納トレイ２４０毎に予め設定されている。
【００６４】
また、各収納トレイ２４０は、図６に示す位置から包装硬貨搬送ユニット２１０に向かって（すなわち、図６における左方向に）移動可能であり、各収納トレイ２４０が包装硬貨搬送ユニット２１０における循環ベルト２１４の近傍の位置まで進出したときに、各収納トレイ２４０に収納されている包装硬貨が循環ベルト２１４の突起２１６に１つずつ受け渡される。また、各収納トレイ２４０の前端部分（すなわち、図６における左端部分）と、包装硬貨搬送ユニット２１０との間には、各収納トレイ２４０に対応して複数のストッパ部分２０４ａが設けられたストッパ機構２０４が上下方向に移動可能に配置されている。このストッパ機構２０４が下降位置にあるときには、包装硬貨搬送ユニット２１０に向かって進出した収納トレイ２４０の最前部の包装硬貨にストッパ部分２０４ａが接触してこの最前部の包装硬貨が循環ベルト２１４の突起２１６に受け渡されない。この場合には、循環ベルト２１４により搬送される包装硬貨が突起２１６から収納トレイ２４０の最前部に受け渡され、この収納トレイ２４０に収納される。一方、ストッパ機構２０４が上昇位置にあるときには、包装硬貨搬送ユニット２１０に向かって進出した収納トレイ２４０の最前部の包装硬貨にストッパ部分２０４ａが接触せず、この最前部の包装硬貨が循環ベルト２１４の突起２１６に受け渡される。
【００６５】
また、筐体１１２の前面において包装硬貨搬送ユニット２１０の前部域には、包装硬貨出金部２３０、包装硬貨一括収納箱２３２及び包装硬貨投出部２３６がそれぞれ設けられている。また、包装硬貨出金部２３０、包装硬貨一括収納箱２３２及び包装硬貨投出部２３６の各々に対応して、包装硬貨搬送ユニット２１０の循環ベルト２１４により搬送される包装硬貨を選択的に包装硬貨出金部２３０、包装硬貨一括収納箱２３２及び包装硬貨投出部２３６にそれぞれ分岐させる分岐部材２１８、２１９、２２０が設けられている。また、分岐部材２２０により包装硬貨搬送ユニット２１０から分岐させられた包装硬貨を包装硬貨投出部２３６に送る包装硬貨投出用シュート２３８が設けられている。ここで、図２に示すように、操作者は筐体１１２の前面から包装硬貨出金部２３０にアクセス可能であり、包装硬貨出金部２３０に送られた包装硬貨を操作者は筐体１１２の外部に取り出すことができる。また、図２に示すように、操作者は筐体１１２の前面から包装硬貨投出部２３６にアクセス可能であり、分岐部材２２０により包装硬貨搬送ユニット２１０の循環ベルト２１４から分岐させられて包装硬貨投出用シュート２３８により包装硬貨投出部２３６に送られた包装硬貨を操作者は筐体１１２の外部に取り出すことができる（具体的には、包装硬貨投出部２３６の下方に箱状の容器を置いて、投出される包装硬貨をこの容器で受け入れる）。また、循環ベルト２１４を図６における時計回りの方向に循環移動させた場合には、横搬送部１６７により包装硬貨搬送ユニット２１０に送られた包装硬貨をすぐに包装硬貨投出用シュート２３８経由で包装硬貨投出部２３６に送ることができる。
【００６６】
また、図２に示すように、筐体１１２の前面側における右側部分には開閉可能な前扉１１４が設けられており、当該前扉１１４を開くことにより筐体１１２内の包装硬貨収納ユニット２００にアクセスすることができる。より詳細には、前扉１１４には上述した包装硬貨出金部２３０、包装硬貨一括収納箱２３２、包装硬貨投出部２３６及び包装硬貨搬送ユニット２１０が取り付けられており、前扉１１４を開いたときにはこれらの包装硬貨出金部２３０、包装硬貨一括収納箱２３２、包装硬貨投出部２３６及び包装硬貨搬送ユニット２１０も前扉１１４と一体的に移動する。このことにより、操作者は前扉１１４を開くと包装硬貨収納ユニット２００にアクセスして収納トレイ２４０を取り出すことにより収納トレイ２４０に包装硬貨を収納したり収納トレイ２４０から包装硬貨を取り出したりすることができる。
【００６７】
また、図２に示すように、筐体１１２の前面側における左側部分にも開閉可能な前扉１１５が設けられている。また、筐体１１２の内部において前扉１１５の裏側には複数の引出ユニットが設けられており、操作者は前扉１１５を開くことにより各引出ユニットを筐体１１２の手前側に引き出すことができる。また、各引出ユニットにはロック機構２５０（図９参照）が設けられており、当該ロック機構２５０は対応する引出ユニットを筐体１１２の内部にロックする。
【００６８】
＜貨幣入出金機の機能的な内部構成＞
次に、図２に示した貨幣入出金機１の機能的な内部構成を説明する。図９は、図２に示した貨幣入出金機１の機能ブロック図である。貨幣入出金機１には、当該貨幣入出金機１の各構成部材の制御を行う制御部３００が設けられている。より詳細には、図９に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、混合バラ紙幣収納部３２（具体的には、混合バラ紙幣収納部３２に設けられたステージ３２ａの駆動機構（図示せず）や紙幣繰出繰入部３２ｂ）、各金種別バラ紙幣収納部３４（具体的には、各金種別バラ紙幣収納部３４に設けられたステージ３４ａの駆動機構（図示せず）や紙幣繰出繰入部３４ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、引出ユニット１３に設けられたロック機構５０、各シャッター２４ａ、４８ａを開閉させるシャッター駆動部２４ｂ、４８ｂ等がそれぞれ接続されている。そして、識別部２０によるバラ紙幣の識別結果に係る信号や判別部６２による帯封紙幣の金種の判別結果に係る情報等が制御部３００に送られるとともに、制御部３００は紙幣入出金装置１０の各構成部材に指令信号を送ることによりこれらの構成部材の動作を制御する。
【００６９】
また、図９に示すように、制御部３００には、硬貨入出金装置１１０の入金繰出部１２０、入金搬送部１２８、入金識別部１２９、各選別部１３０、１３４、１３６、入金一時保留部１４０、各収納繰出部１５２、コンベア１５４、出金識別部１５５、包装部１６０、包装硬貨収納ユニット２００、包装硬貨搬送ユニット２１０、各分岐部材２１８、２１９、２２０、ロック機構２５０等がそれぞれ接続される。入金識別部１２９や出金識別部１５５によるバラ硬貨の識別情報はこれらの入金識別部１２９や出金識別部１５５から制御部３００に送られる。また、制御部３００は、硬貨入出金装置１１０の各構成部材に指令の信号を送ることによりこれらの構成部材の動作を制御する。
【００７０】
また、図９に示すように、制御部３００には、操作表示部３０２、印字部３０４、記憶部３０６及び通信インターフェース部３０８がそれぞれ接続されている。図２に示すように、操作表示部３０２は、例えば硬貨入出金装置１１０の筐体１１２の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示する。また、操作者はこの操作表示部３０２により制御部３００に様々な指令や情報を入力することができる。また、図２に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶する。また、制御部３００は通信インターフェース部３０８を介して上位端末等の外部装置３１０に対して様々な信号の送受信を行うことができる。
【００７１】
また、制御部３００は、出金要求取得部３００ａ、払出制御部３００ｂ、個別印字制御部３００ｃ、合計印字制御部３００ｄ、貨幣抜取検知部３００ｅ、払出指示受付部３００ｆ及び出金要求加工部３００ｇを有する。
【００７２】
出金要求取得部３００ａは、支払準備処理に際し、複数件分の出金要求情報を取得する処理を行う処理部である。支払準備処理では、１つの封筒に入れる金額が１件分の出金要求情報に対応し、複数の出金要求情報は、異なる金額であってもよい。複数の出金要求情報は、例えば操作表示部３０２に対する操作者の操作により入力される。また、通信インターフェース部３０８が他の装置から複数の出金要求情報を含む出金要求データを受信してもよい。また、ＵＳＢメモリなどの記憶媒体に格納された出金要求情報を読み出すことで取得してもよい。出金要求取得部３００ａは、取得した出金要求情報を記憶部３０６に格納する。
【００７３】
払出制御部３００ｂは、各出金要求情報に対応する貨幣を貨幣の収納部から所定の出金口に断続的に払い出させるよう制御する処理部である。具体的には、紙幣については、金種別バラ紙幣収納部３４からバラ紙幣投出部２４に払い出し、硬貨については複数の収納繰出部１５２から出金箱１９０に払い出す。
【００７４】
払出制御部３００ｂは、出金要求取得部３００ａが複数件分の出金要求情報を取得したならば、まず、そのうちの１件分の貨幣を出金処理する。その後、貨幣抜取検知部３００ｅが貨幣抜取を検知した場合、若しくは払出指示受付部３００ｆが払出指示を受け付けた場合に、次の１件分の貨幣を出金処理する。すなわち、貨幣抜取又は払出指示を次の出金処理のトリガーとして用いるのである。払出制御部３００ｂは、１件分の出金処理とトリガーの検知とを繰り返し、全件分の出金処理を終えた場合に処理を終了する。
【００７５】
個別印字制御部３００ｃは、各出金要求情報に対応する貨幣の払い出しに対応して、個別出金レシートを印字部３０４に印字させる処理部である。個別出金レシートは、１件分の出金要求情報に係る事項を印字したものであり、例えば対応する封筒への貼付などに用いられる。個別出金レシートを印字するタイミングについては適宜設定することができるが、１件分の出金処理とともに対応する個別出金レシートを印字することが好適である。
【００７６】
合計印字制御部３００ｄは、１回の支払準備処理において取得される複数の出金要求情報に対応する貨幣の払出合計の合計出金レシートを印字部３０４に印字させる処理部である。合計出金レシートには、各出金要求情報に示された金額を合計した払出合計金額、各出金要求情報に関する事項などを印字することができ、支払準備処理の管理等に用いられる。合計出金レシートを印字するタイミングについては適宜設定することができるが、最初の出金処理の前や、最後の出金処理の後に行うことが好適である。
【００７７】
貨幣抜取検知部３００ｅは、出金口からの貨幣の抜き取りを検知する処理部である。具体的には、紙幣の場合、バラ紙幣投出部２４及び出金箱１９０にセンサを設け、払い出した貨幣（紙幣）が操作者により取り出されたことを検知する。一方、硬貨の場合は、出金硬貨が出金箱１９０へ払い出された後、着脱検知センサによって出金箱１９０の取り外しおよび再装着が検知され、且つ、有無検知センサによって出金箱１９０内の硬貨が無くなったことが検知されると、払い出した貨幣（硬貨）が操作者により取り出されたことを検知する。貨幣抜取検知部３００ｅによる検知結果は、既に説明したように、出金処理のトリガーとして用いることができる。貨幣の抜き取りの検知をトリガーとして用いない場合には、制御部３００に貨幣抜取検知部３００ｅを設けない構成としてもよい。
【００７８】
払出指示受付部３００ｆは、貨幣の払出指示を受け付ける処理部である。具体的には、払出指示受付部３００ｆは、未出金の出金要求情報が残っている場合に、操作表示部３０２に払出指示を受け付けるための操作ボタンを表示し、この操作ボタンへの操作を払出指示として受け付ける。払出指示受付部３００ｆにより受け付けられた払出指示は、既に説明したように、出金処理のトリガーとして用いることができる。払出指示の受付をトリガーとして用いない場合には、制御部３００に払出指示受付部３００ｆを設けない構成としてもよい。
【００７９】
出金要求加工部３００ｇは、過去に受け付けた出金要求情報を記憶部３０６から読み出して加工する処理を行う。具体的には、出金要求加工部３００ｇは、操作者の操作に基づいて過去に受け付けた出金要求情報を出力する。出力先は、操作表示部３０２であってもよいし、外部の装置に送信してもよい。操作者は、出力された過去の出金要求情報（データ形式）をベースとして、金額や金種別枚数（必要時には、処理日付）を修正したり、出金要求情報の追加、複写、削除等を行うことによって、新たな出金要求情報を簡単に生成することができる。このようにして生成された出金要求情報は、出金要求取得部３００ａに渡されて出金処理が開始される。
【００８０】
＜データの一例＞
次に、出金要求情報の一例について図１０を用いて説明する。図１０は、出金要求情報の一例を示す図である。図１０に示す出金要求情報は、取引Ｎｏ、金額、金種別枚数を対応付けたデータである。図１０では、取引Ｎｏは３桁の主番号と２桁の枝番号の組合せである。３桁の主番号は１つの支払準備処理に対応する。２桁の枝番号は、１つの支払準備処理に含まれる複数の出金要求情報を識別するために用いられる。
【００８１】
図１０に示した出金要求情報は、全て主番号「４５６」の支払準備処理に含まれる出金要求情報である。具体的には、取引Ｎｏ「４５６−０１」は、金額「￥１２３，５００」であり、一万円１２枚と、一千円３枚とを含む貨幣の出金を要求している。同様に、取引Ｎｏ「４５６−０２」は、金額「￥１２３，５００」であり、一万円１２枚と、一千円３枚とを含む貨幣の出金を要求している。また、取引Ｎｏ「４５６−０３」及び取引Ｎｏ「４５６−０４」は、金額「￥８９，６００」であり、一万円８枚、五千円１枚、一千円４枚を含む貨幣の出金を要求している。
【００８２】
出金要求情報は、図１０に示した項目に限定されず、任意の項目を対応付けることができる。例えば、出金要求情報に受取人（顧客）の氏名や識別情報などを対応付けてもよい。また、操作を行った操作者の識別情報、操作の日時、合計金額や払い出される各金種の合計枚数、１つの支払準備処理に含まれる出金要求情報の数などを対応付けてもよい。
【００８３】
＜貨幣入出金機の処理手順＞
次に、図２に示した貨幣入出金機１における支払準備処理の処理手順について説明する。図１１は、図２に示した貨幣入出金機１における支払準備処理の処理手順を示すフローチャートである。なお、ここでは、操作者がＩＤ認証に成功し、操作メニューから払出準備処理が選択された以降の手順について説明する。
【００８４】
まず、出金要求取得部３００ａは、支払準備処理に際し、全件分の出金要求情報の入力を受け付け（ステップＳ１０１）、完了ボタン操作を受け付ける（ステップＳ１０２）。合計印字制御部３００ｄは、全件分の出金要求情報に基づいて、合計出金レシートを印字する（ステップＳ１０３）。このとき、データ処理上は、一連の出金処理が確定される。
【００８５】
ステップＳ１０３の後、払出制御部３００ｂは、１件分の貨幣を出金処理し（ステップＳ１０４）、個別印字制御部３００ｃは、対応する個別出金レシートを印字部３０４に印字させる（ステップＳ１０５）。
【００８６】
ステップＳ１０５の後、払出制御部３００ｂは、ステップＳ１０１で入力された全件分の出金処理が終了したか否かを判定する（ステップＳ１０６）。出金処理のされていない出金要求情報が残っているならば（ステップＳ１０６；Ｎｏ）、払出指示受付部３００ｆは、貨幣の払出指示を受け付けたか否かを判定する（ステップＳ１０７）。払出指示を受け付けていなければ（ステップＳ１０７；Ｎｏ）、払出指示受付部３００ｆは、再度ステップＳ１０７に移行することで払出指示を待機する。操作者は、払い出された貨幣を封筒に入れ、個別出金レシートを貼付した後、払出指示の操作を行うことになる。
【００８７】
払出制御部３００ｂは、払出指示を受け付けたならば（ステップＳ１０７；Ｙｅｓ）、ステップＳ１０４に移行し、１件分の出金処理を実行する（ステップＳ１０４）。そして、全件分の出金処理が終了したならば（ステップＳ１０６；Ｙｅｓ）、払出制御部３００ｂは、支払準備処理を終了する。
【００８８】
なお、図１１では、操作者が操作表示部３０２を操作することで全件分の出金要求情報の入力を行う場合を示したが、全件分の出金要求情報を他の装置や記憶媒体から取得することとしてもよい。この場合には、ステップＳ１０１は「他の装置や記憶媒体からの全件分の出金要求情報の取得」となり、ステップＳ１０２は「確認ボタン操作の受付」となる。
【００８９】
また、図１１では、払出指示の受付をトリガーとして次の出金処理を行う場合を示したが、貨幣抜取をトリガーとして用いてもよい。この場合には、ステップＳ１０７では「貨幣抜取の検知」の有無を判定することになる。また、払出指示と貨幣抜取の双方をトリガーとして用いる場合には、ステップＳ１０７では「払出指示の受付又は貨幣抜取の検知」の有無を判定することになる。
【００９０】
また、図１１では、最初の出金処理の前に合計出金レシートを印字し、１件分の出金処理とともに対応する個別出金レシートを印字する場合を示したが、合計出金レシートや個別出金レシートの印字のタイミングは適宜変更可能である。例えば、全件分の出金処理が終了した後に合計出金レシートや個別出金レシートを印字してもよい。
【００９１】
＜表示画面の具体例＞
次に、支払準備処理に係る表示画面の具体例について説明する。図１２及び図１３は、支払準備処理に係る表示画面の具体例についての説明図である。図１２（ａ）は、操作表示部３０２に表示される支払準備処理のメインメニュー画面である。このメインメニュー画面では「準備」「支払」「準備金戻し」のボタンが表示される。
【００９２】
「準備」ボタンを操作すると、図１２（ｂ）の出金要求情報入力画面が表示される。出金要求情報入力画面は、左右に分割されており、右側には出金要求情報の金額を１件ずつ入力するためのテンキーと、入力結果である出金要求情報の一覧が表示される。また、出金要求情報入力画面の左側には、出金要求情報の数である件数（伝票枚数）と、合計の金額が表示される。
【００９３】
出金要求情報入力画面の下方には、完了ボタンが表示されており、この完了ボタンの操作を受け付けると、貨幣入出金機１は合計出金レシートを印字した後、図１３（ｃ）に示す出金画面を操作表示部３０２に表示する。出金画面は、左右に分割されており、左側に未出金分の出金要求情報が一覧表示されている。また、右側には貨幣入出金機１の外観を表示しつつ、合計出金レシートの払出位置を表示して、合計出金レシートの抜き取りをうながす。合計出金レシートが抜き取られると、図１３（ｄ）に示すダイアログ表示が行われ、払出指示ボタンが操作されると、１件分の出金処理が実行される。このとき、貨幣が払出されると、貨幣（硬貨、紙幣）の払出位置を表示して、貨幣の抜き取りをうながす。
さらに、貨幣入出金機１は、１件分の出金処理が終わる度に、個別出金レシートを印字し、図１３（ｄ）に示すダイアログ表示を行う。
【００９４】
図１３（ｄ）に示すダイアログ表示では、次の出金処理が全件数のうちの何件目であるか、出金の金額などの情報ととともに、払出指示のための操作ボタンが表示される。図１３（ｄ）では、「取引番号  ４５６」「次は  ３件目（全６件）です。」「８９，６００円出金します。」などの情報ととともに、払出指示ボタンを表示した状態を示している。
【００９５】
出金した貨幣が抜き取られ、払出指示ボタンが操作されたならば、次の出金要求情報に係る出金が行われ、図１３（ｃ）の出金画面が更新され、個別出金レシートが印字され、図１３（ｄ）のダイアログが新たに表示されることになる。なお、出金した貨幣が抜き取られていない状態で払出指示ボタンが操作された場合には、警告を報知（表示や音声による）して次の出金は行わない。尚、貨幣抜取をトリガーとして次の出金処理が行われる場合には、表示されるダイアログに払出指示ボタンは含まれず、貨幣抜取の検知に基づいて次の出金要求情報に係るダイアログに切り替えられる。
【００９６】
貨幣入出金機１は、出金処理、個別出金レシートの印字、表示の更新と払出指示の受付を、全件分の処理が終了するまで繰り返す。全件分の処理が終了すると、図１２（ａ）の画面に戻って、次の指示に備える。
【００９７】
＜レシートの具体例＞
次に、貨幣入出金機１が印字するレシートの一例について説明する。図１４は、貨幣入出金機１が印字するレシートの一例を示す図である。図１４（ａ）は、合計出金レシートの一例である。合計出金レシートには、１つの支払い準備処理に関する項目が印字される。図１４（ａ）では、支払い準備に係る合計レシートであること、支払準備処理を行った日時「２０１６／０２／１５  １４:１１」、操作者を識別する操作者ＩＤ「００１２」、取引Ｎｏの主番号「４５６」、出金要求情報の数を示す件数「６」、合計の金額「￥６０５，４００−」が印字されている。
【００９８】
図１４（ｂ）は、個別出金レシートの一例である。個別出金レシートには、１つの出金要求情報に関する項目が印字される。図１４（ｂ）の１件目の個別出金レシートでは、支払い準備に係る個別レシートであること、支払準備処理を行った日時「２０１６／０２／１５  １４:１１」、取引Ｎｏ「４５６−０１」、金額「￥１２３，５００−」が印字されている。２件目の個別出金レシートでは、取引Ｎｏが「４５６−０２」であり、その他は１件目の個別出金レシートと同一である。３件目の個別出金レシートでは、取引Ｎｏが「４５６−０３」であり、金額が「￥８９，６００−」となっている。
【００９９】
なお、図１４に示した項目に限らず、合計出金レシートや個別出金レシートには任意の項目を印字することが可能である。例えば、操作者ＩＤにより特定される操作者の氏名を合計出金レシートに印字してもよい。また、個別出金レシートに操作者に関する情報、支払準備処理全体の合計金額、支払準備処理に含まれる出金要求情報の数、出金された貨幣を受け取る人物に関する情報（氏名等）などを印字してもよい。また、個別出金レシートに貨幣を受け渡す予定日を印字してもよい。
【０１００】
上述してきたように、本実施例１に係る貨幣処理装置である貨幣入出金機１は、出金要求取得部３００ａが複数の出金要求情報を取得し、払出制御部３００ｂが各出金要求情報に対応する貨幣を貨幣の収納部から所定の出金口に断続的に払い出すよう請御する。このため、連続して複数の出金取引を行う場合に、人的負担及び人為的なミスを軽減しつつ効率的に出金を行うことができる。
【実施例２】
【０１０１】
本実施例２では、金融機関の窓口で担当者が使用する貨幣入出金機に本発明を適用する場合について説明する。図１５は、実施例２に係る貨幣入出金機の外観を示す斜視図である。実施例２に係る貨幣入出金機６００は、金融機関の窓口等に設置されるものであり、紙幣および硬貨の入出金処理をそれぞれ行う。より詳細に説明すると、金融機関の窓口等において二人のテラーが１台の貨幣入出金機６００を共用し、図１５に示す貨幣入出金機６００の両側にそれぞれテラーが配置されるとともに各テラーに対応して二台のモニタ（図示せず）が設置される。
【０１０２】
図１５に示すように、貨幣入出金機６００は、略直方体形状の筐体６０２を有しており、この筐体６０２の前面上方に紙幣入金口６１０が設けられるとともに筐体６０２の上面に硬貨入金口６５０が設けられる。また、筐体６０２の前面において紙幣入金口６１０の下方には紙幣出金口６４０が設けられるとともに、紙幣出金口６４０の更に下方にはリジェクト部６４２が設けられ、このリジェクト部６４２の両側の側方にはそれぞれ硬貨出金ボックス６５２が配置される。ここで、紙幣入金口６１０、紙幣出金口６４０および硬貨入金口６５０は二人のテラーが共用するのに対し、リジェクト部６４２の両側に設けられた各硬貨出金ボックス６５２は各テラーにそれぞれ対応する。また、図１５に示すように、紙幣入金口６１０には、当該紙幣入金口６１０の開閉を行うシャッタ５４０が設けられており、また、紙幣出金口６４０にも、当該紙幣出金口６４０の開閉を行うシャッタ５５０が設けられている。また、貨幣入出金機６００の筐体６０２の前面における紙幣出金口６４０やリジェクト部６４２の下方には前面扉６４４が設けられており、この前面扉６４４を開くことにより後述するカセット部６２２を筐体６０２内から手前側に引き出すことができる。
【０１０３】
また、貨幣入出金機６００の筐体６０２の上面における硬貨入金口６５０の両側の側方には、紙幣占有ボタン６８４、硬貨占有ボタン６８６、紙幣出金口ランプ６９０および硬貨出金口ランプ６９２がそれぞれ設けられている。これらの紙幣占有ボタン６８４、硬貨占有ボタン６８６、紙幣出金口ランプ６９０および硬貨出金口ランプ６９２はそれぞれ左右一対となるよう配置されており、各ボタン６８４、６８６や各ランプ６９０、６９２は各テラーに対応する。また、貨幣入出金機６００の筐体６０２の上面における硬貨入金口６５０の後方には例えばタッチパネル等からなる操作表示部６８２が設けられている。図１５では操作表示部６８２は倒れた状態で示されているが、この操作表示部６８２を図１５に示す状態から鉛直方向上方に延びるよう立たせることができる。操作者はこの操作表示部６８２により様々な情報や指令を入力することができる。また、操作表示部６８２には、貨幣入出金機６００における貨幣の処理状況に関する情報や在高に関する情報が表示される。なお、操作表示部６８２に表示される、貨幣入出金機６００における貨幣の処理状況に関する情報には、例えば、ジャム等の通常のエラーに係る情報や、リジェクト部６４２に送られたリジェクト紙幣に係る情報等が含まれる。具体的には、貨幣入出金機６００における貨幣の処理状況に関する情報として、「機体内で紙幣の詰まりが発生しました」「出金口のリジェクト紙幣を抜き取って下さい」等のメッセージが操作表示部６８２に表示されるようになる。また、貨幣入出金機６００の筐体６０２の前面には電源スイッチ６８０が設けられており、操作者がこの電源スイッチ６８０をオンにすることにより貨幣入出金機６００において紙幣や硬貨の入出金処理を行うことができる。
【０１０４】
図１６は、図１５に示した貨幣入出金機の内部構成を示す構成図である。図１６に示すように、貨幣入出金機６００の筐体６０２の内部には、紙幣の入出金処理を行う紙幣処理部６０４と、硬貨の入出金処理を行う硬貨処理部６０６とがそれぞれ設けられている。紙幣処理部６０４の構成の詳細について以下に説明する。
【０１０５】
既に説明したように、貨幣入出金機６００の筐体６０２の前面上方に紙幣入金口６１０が設けられているが、この紙幣入金口６１０には紙幣繰出機構６１２が設置されており、筐体６０２の外部から紙幣入金口６１０に投入された紙幣は紙幣繰出機構６１２により１枚ずつ筐体６０２の内部に繰り出される。より詳細には、図１６に示すように、紙幣繰出機構６１２は、左右一対のキッカローラ６１２ａ、左右一対のフィードローラ６１２ｂおよび左右一対のゲートローラ６１２ｃを有している。このような紙幣繰出機構６１２において、紙幣入金口６１０に投入された紙幣はキッカローラ６１２ａによりフィードローラ６１２ｂとゲートローラ６１２ｃとの間の隙間に向かって１枚ずつ蹴り出され、この蹴り出された紙幣は、フィードローラ６１２ｂによって貨幣入出金機６００の筐体６０２内に１枚ずつ繰り出される。
【０１０６】
また、紙幣入金口６１０には搬送部６１４が接続されており、紙幣繰出機構６１２により筐体６０２の内部に繰り出された紙幣は搬送部６１４により１枚ずつ搬送される。ここで、搬送部６１４には識別部６１６が設けられており、搬送部６１４により搬送される紙幣は識別部６１６によりその金種、真偽、正損、新旧等が識別される。また、搬送部６１４には表裏反転部６１８が設けられており、搬送部６１４により搬送される紙幣は表裏反転部６１８によりその表裏が整えられる。具体的には、表裏反転部６１８に送られた紙幣のうち、例えば裏面が上側となっている紙幣のみの表裏が反転されることにより、この表裏反転部６１８から出された紙幣は全て表面（おもてめん）が上側となる。
【０１０７】
また、搬送部６１４にはリジェクト部６４２が接続されており、識別部６１６により正常な紙幣ではないと識別された紙幣、すなわちリジェクト紙幣が搬送部６１４からリジェクト部６４２に送られる。リジェクト部６４２は筐体６０２の前面から引き出すことができ、筐体６０２の前面から引き出されたリジェクト部６４２は筐体６０２の外部からアクセス可能である。このことにより、操作者はこのリジェクト部６４２に集積されたリジェクト紙幣を手動で取り出すことができる。
【０１０８】
また、搬送部６１４には複数（例えば５つ）の一時保留部６２０が接続されている。ここで、各一時保留部６２０は並列に並ぶよう配設されており、搬送部６１４から各一時保留部６２０に搬送された紙幣は、これらの一時保留部６２０において積層状態で集積されることにより一時的に保留される。また、各一時保留部６２０の下方には例えば２つの紙幣収納カセット６２４および例えば３つの紙幣集積部６２６がそれぞれ設けられており、各一時保留部６２０に一時的に保留された紙幣は各紙幣収納カセット６２４や各紙幣集積部６２６に送られる。ここで、図１６に示すように、筐体６０２の内部において各紙幣収納カセット６２４はカセット部６２２に着脱自在に収容され、このカセット部６２２は前面扉６４４を開くことにより筐体６０２から前方に（すなわち、図１６における左方向に）引き出すことができる。このように、カセット部６２２を筐体６０２から前方に引き出すことにより、紙幣が収納された紙幣収納カセット６２４をカセット部６２２から取り出し、この紙幣収納カセット６２４を回収することができる。一方、各紙幣集積部６２６に集積された紙幣は、これらの紙幣集積部６２６から搬送部６１４に繰り出され、各紙幣集積部６２６から搬送部６１４に繰り出された紙幣は紙幣出金口６４０に送られ、このようにして紙幣の出金処理が行われる。
【０１０９】
貨幣入出金機６００の筐体６０２の内部に設けられた硬貨処理部６０６は、硬貨の入出金処理を行う。具体的には、上面に設けられた硬貨入金口６５０に投入された硬貨を識別部（図示せず）により識別し、その後この硬貨を筐体６０２内に収納することによって硬貨の入金処理を行ったり、筐体６０２内に収納された硬貨を各硬貨出金ボックス６５２に送ることによって硬貨の出金処理を行う。硬貨処理部６０６の詳細な説明は省略する。
【０１１０】
既に説明したように、貨幣入出金機６００の筐体６０２の上面には、左右一対の紙幣占有ボタン６８４および左右一対の硬貨占有ボタン６８６がそれぞれ設けられており、各ボタン６８４、６８６は各テラーに対応している。そして、貨幣入出金機６００の側方に座っている各テラーが対応する紙幣占有ボタン６８４や硬貨占有ボタン６８６を押下することにより、このテラーに関連する紙幣や硬貨の入出金処理を行うことができる。また、貨幣入出金機６００の筐体６０２の上面には、左右一対の紙幣出金口ランプ６９０および左右一対の硬貨出金口ランプ６９２がそれぞれ設けられており、各ランプ６９０、６９２は各テラーに対応している。そして、紙幣出金口６４０に出金紙幣が集積されたり硬貨出金ボックス６５２に出金硬貨が集積されたりすると、紙幣や硬貨の入出金処理を行っているテラーに対応する紙幣出金口ランプ６９０や硬貨出金口ランプ６９２が点灯する。
【０１１１】
次に、図１５に示した貨幣入出金機６００の機能的な内部構成を説明する。図１７は、図１５に示した貨幣入出金機６００の機能ブロック図である。図１７に示すように、貨幣入出金機６００の筐体６０２内には、当該貨幣入出金機６００の各構成要素の制御を行う制御部７００が設けられている。図１７に示すように、制御部７００には紙幣処理部６０４、硬貨処理部６０６、電源スイッチ６８０、操作表示部６８２、紙幣占有ボタン６８４、硬貨占有ボタン６８６、紙幣出金口ランプ６９０、硬貨出金口ランプ６９２等が接続されている。また、制御部７００には記憶部７０２、通信部７０４、設定部７０６等がそれぞれ接続されている。記憶部７０２には、貨幣入出金機６００における貨幣の処理状況や在高に関する情報が記憶される。また、通信部７０４により、制御部７００は貨幣入出金機６００以外の外部装置（例えば、上位装置）と信号の送受信を行う。また、設定部７０６により、貨幣入出金機６００の動作モードの設定を行うことができる。
【０１１２】
また、制御部７００は、出金要求取得部７００ａ、払出制御部７００ｂ、個別印字制御部７００ｃ、合計印字制御部７００ｄ、貨幣抜取検知部７００ｅ、払出指示受付部７００ｆ及び出金要求加工部７００ｇを有する。これらの処理部は、実施例１に示した出金要求取得部３００ａ、払出制御部３００ｂ、個別印字制御部３００ｃ、合計印字制御部３００ｄ、貨幣抜取検知部３００ｅ、払出指示受付部３００ｆ及び出金要求加工部３００ｇに対応する処理を行う。このため、貨幣入出金機６００は、実施例１と同様に、複数の出金要求情報に基づいて貨幣を断続的に払い出すことができる。
【０１１３】
ここで、貨幣入出金機６００は左右のテラーで共用されるが、左右のテラーに対してモニタと操作端末はそれぞれ設置されている。このため、貨幣入出金機６００は、左右の操作端末から出金要求情報を取得することができる。また、出金処理中には、左右のいずれの操作端末からの指示に基づいて出金を行っているかを表示し、硬貨については対応する側の硬貨出金ボックス６５２に払い出す。
【０１１４】
上述してきたように、本実施例２に係る貨幣処理装置である貨幣入出金機６００は、左右のテラーで共用され、実施例１と同様に、複数の出金要求情報に基づいて貨幣を断続的に払い出すことができる。このため、連続して複数の出金取引を行う場合に、人的負担及び人為的なミスを軽減しつつ効率的に出金を行うことができる。
【０１１５】
なお、上述の実施例１及び２では説明を省略したが、出金要求情報に基づいて一旦出金した貨幣を貨幣入出金機１，６００に戻し、出金処理を取り消すことも可能である。具体的には、戻し入れる対象の貨幣及び個別出金レシートを手元に置いて、支払準備処理のメインメニュー画面で「準備金戻し」ボタンを操作し、個別出金レシートに印字された取引Ｎｏ（主番号＋枝番）を入力することで、該当する出金処理に関する情報（出金日時、出金金額等）が操作表示部に表示される。次に、貨幣を投入し、投入金額が出金金額と一致すると、出金処理の取消しが行われる。実施例１及び２に示したように、出金処理と個別出金レシートとが１対１で対応しているので、かかる出金処理の取り消しを容易に行うことができる。また、個別出金レシートにコードを印字し、該コードをリーダで読み取ることで取引Ｎｏを特定してもよい。この機能は、例えば６件の出金準備を行ったにも関わらず、受け渡し予定日に５件しか受け渡しを行えなかった場合に、残った１件分の出金貨幣を戻し入れる際に利用される。
【０１１６】
また、出金処理中に、残りの金額の合計を一括して出金できるように構成してもよい。例えば、６件の出金要求情報を入力し、４件目まで出金処理が終了した時点で一括出金指示を入力すると、残り２件分の金額が一括で出金される。このように残りの金額分を一括して出金すれば、一括して出金した貨幣を手作業で適正な封筒に入れつつ、貨幣入出金機を他の作業に割り当てることができる。なお、一括出金時には、対応する個別レシートは、出金要求情報毎に分けて印字してもよいし、一括して印字するようにしてもよい。この機能は、支払準備処理中に、操作者に急用が発生した場合や、他の操作者が貨幣入出金機を急いで使用したい状態になったときに有効である。
【０１１７】
また、出金要求情報の入力に際し、１回の支払準備処理で入力できる件数の上限や合計金額の上限を設定してもよい。操作性を考慮すると、過大な件数や金額は好ましくないためである。上限を設定した場合には、上限値に近づくと、警告を出力するよう構成することが好適である。この警告には、例えば画面へのポップアップ表示、背景色の切替、警告音などを用いることができる。なお、操作者の権限レベルなどに基づいて、それぞれの上限値を変更することも可能である。
【０１１８】
また、出金要求情報の入力時に、入力値と在高情報を比較し、入力値が在高情報を上回ると、警告を出力するように構成してもよい。在高情報としては、合計金額、金種別枚数を用いることができる。
【０１１９】
また、出金処理の中断を可能としてもよい。例えば、６件の出金要求情報を入力し、４件目まで出金処理が終了した時点で中断指示を入力すると、残り２件の出金処理に関する情報を記憶した状態で、中断する。このとき、中断された２件の出金処理に関する情報は記憶部に記憶されている。このように中断を可能とすれば、操作者がその場を離れて別の処理を行う、貨幣入出金機を他の操作者が使用する、といった運用が可能になる。中断後は、同一の操作者であることを認証した上で、残りの出金処理が再開可能とすればよい。なお、中断中は、中断中の出金処理があることを示すアイコンを操作画面（待機画面、等）に表示してもよい。アイコンをクリックすれば、出金処理の再開画面に移行し、操作者の認証を行って出金処理を再可能とすることが好適である。また、中断ではなく、残りの出金処理を取止めることができるように構成してよい。
【０１２０】
また、出金処理の途中でエラーが発生した場合には、実行中の出金処理１件分をエラーとして処理し、当該出金処理を再出金した後、続きの出金処理を実行することが好適である。
【０１２１】
また、上述した個別出金レシートと合計出金レシートの双方を印字することは必須ではなく、いずれかのみを印字するモードや、レシートの印字を行わないモードを選択可能としてもよい。
【０１２２】
また、１つの出金要求情報において、１００枚以上の紙幣あるいは５０枚以上の硬貨を出金する場合は、束紙幣あるいは包装硬貨を出金することとしてもよい。
【０１２３】
また、上述の実施例１及び実施例２では、金融機関に設置された貨幣入出金機が支払い準備処理を行う場合を例示して説明を行ったが、本発明はこれに限定されるものではない。本発明は、各種の貨幣処理装置に適用可能であり、連続して複数の出金取引を行う場合に適用できる。また、紙幣のみを取り扱う装置や、硬貨のみを取り扱う装置に適用することもできる。
【０１２４】
また、上述の各実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１２５】
以上のように、本発明に係る貨幣処理装置、貨幣処理システム及び貨幣処理方法は、連続して複数の出金取引を行う場合に、人的負担及び人為的なミスを軽減しつつ効率的に出金を行うことに適している。
【符号の説明】
【０１２６】
１  貨幣入出金機
１０  紙幣入出金装置
１２  筐体
１２ａ  下部扉
１３  引出ユニット
１４  投入部
１６  繰出部
１８  搬送部
２０  識別部
２２  表裏反転部
２４  バラ紙幣投出部
２４ａ  シャッター
２４ｂ  シャッター駆動部
２６  出金リジェクト部
３０  入金一時保留部
３０ａ  ステージ
３０ｂ  紙幣繰出繰入部
３２  混合バラ紙幣収納部
３２ａ  ステージ
３２ｂ  紙幣繰出繰入部
３４  金種別バラ紙幣収納部
３４ａ  ステージ
３４ｂ  紙幣繰出繰入部
４０  整理一時保留部
４２  帯封部
４４  アーム機構
４６  帯封紙幣揚送部
４６ａ  ステージ
４８  帯封紙幣投出部
４８ａ  シャッター
４８ｂ  シャッター駆動部
５０  ロック機構
６０  帯封紙幣搬送部
６０ａ  突起
６０ｂ  循環ベルト
６２  判別部
７０  帯封紙幣収納部
７０ａ  ステージ
１１０  硬貨入出金装置
１１２  筐体
１１４、１１５  前扉
１２０  入金繰出部
１２１  硬貨投入口
１２２  供給円盤
１２４  回転円盤
１２６  繰出機構
１２８  入金搬送部
１２９  入金識別部
１３０  リジェクト選別部
１３１  入金リジェクト用シュート
１３４  任意選別部
１３６  金種別選別部
１３６ａ  ５円硬貨選別部
１３６ｂ  １円硬貨選別部
１３６ｃ  ５０円硬貨選別部
１３６ｄ  １００円硬貨選別部
１３６ｅ  １０円硬貨選別部
１３６ｆ  ５００円硬貨選別部
１３８  入金リジェクト部
１４０  入金一時保留部
１４２  任意一時保留部
１４４  金種別一時保留部
１４４ａ〜１４４ｆ  保留領域
１４５  第１駆動機構
１４６  底部材
１４７  第２駆動機構
１５０  排出部
１５０ａ  返却箱
１５２  収納繰出部
１５２ａ〜１５２ｆ  収納領域
１５２ｐ  硬貨繰出部
１５４  コンベア
１５５  出金識別部
１５６  出金リジェクト箱
１５７  包装用シュート
１５８  出金用シュート
１６０  包装部
１６２  回転円盤
１６３  コンベア
１６４  排出シュート
１６５  包装硬貨用シュート
１６７  横搬送部
１６８  包装機構
１６８ａ  包装ローラ
１６９  切換部材
１７０  シュート機構
１７２  上部シュート
１７４  貯留用シュート
１７４ａ  排出側開口
１７５  貯留袋
１７６  包装用シュート
１７８  分岐部材
１９０  出金箱
１９０ａ  取っ手
１９２  シャッタ部材
１９４  出金リジェクト用シュート
１９６  分岐部材
１９７  端数硬貨収納箱
１９８  バラ硬貨一括収納箱
２００  包装硬貨収納ユニット
２０４  ストッパ機構
２０４ａ  ストッパ部分
２１０  包装硬貨搬送ユニット
２１２  プーリ
２１４  循環ベルト
２１６  突起
２１８、２１９、２２０  分岐部材
２３０  包装硬貨出金部
２３２  包装硬貨一括収納箱
２３６  包装硬貨投出部
２３８  包装硬貨投出用シュート
２４０  収納トレイ
２５０  ロック機構
３００  制御部
３００ａ  出金要求取得部
３００ｂ  払出制御部
３００ｃ  個別印字制御部
３００ｄ  合計印字制御部
３００ｅ  貨幣抜取検知部
３００ｆ  払出指示受付部
３００ｇ  出金要求加工部
３０２  操作表示部
３０４  印字部
３０６  記憶部
３０８  通信インターフェース部
３１０  外部装置
【図１】
0006697294.tif 000002
【図２】
0006697294.tif 000003
【図３】
0006697294.tif 000004
【図４】
0006697294.tif 000005
【図５】
0006697294.tif 000006
【図６】
0006697294.tif 000007
【図７】
0006697294.tif 000008
【図８】
0006697294.tif 000009
【図９】
0006697294.tif 000010
【図１０】
0006697294.tif 000011
【図１１】
0006697294.tif 000012
【図１２】
0006697294.tif 000013
【図１３】
0006697294.tif 000014
【図１４】
0006697294.tif 000015
【図１５】
0006697294.tif 000016
【図１６】
0006697294.tif 000017
【図１７】
0006697294.tif 000018